(57)【要約】【課題】自立式のパーテーションについて、組立・解体が容易でありながら安定性・安全性に優れたものとする。【解決手段】正面視方形で平板状のパネル２Ａと、隣り合うパネル２Ａ，２Ａ同士を連結する連結手段である支持脚３Ａ，３Ａとを備えた自立式のパーテーションにおいて、前記パネル２Ａは、幅方向所定範囲に亘り下端側に錘部材２５，２６が付設又は内蔵されて下端からその高さの２０分の１までの部分の重量が、パネル２Ａの重量の２５％以上を占めることを特徴とするものとした。【選択図】図１
2014005717.tif 000002
【特許請求の範囲】
【請求項１】
正面視方形で平板状のパネルと、隣り合う前記パネル同士を連結する連結手段とを備えた自立式のパーテーションにおいて、前記パネルの下端側には、幅方向所定範囲に亘り錘部材が付設または内蔵されて前記パネルと一体化されており、前記パネルの下端からその高さの２０分の１までの部分の重量が前記錘部材を含むパネル重量の２５％以上を占める、ことを特徴とするパーテーション。
【請求項２】
前記パネルには、下端面の両端側から角柱状の脚体が対で下向きに垂設されており、前記パネル同士が連結する箇所で側端側を互いに近接配置した複数の前記パネルの前記脚体同士が前記連結手段に上から嵌入することで各々固定されて連結される、ことを特徴とする請求項１に記載したパーテーション。
【請求項３】
前記連結手段には、床面に密着配置する金属製で平板状の基台部と、該基台部上面側で板材が対向して立設されてその間に前記パネルの下端側角部を上から挿入することで前記パネルを挟み込んで支持するパネル支持部とからなる支持脚が含まれる、ことを特徴とする請求項２に記載したパーテーション。
【請求項４】
前記パネル支持部の内側所定位置には、対向した前記板材の内面側を直角方向に渡すようにピンが介装されて該ピンと該ピン周面に対向する所定の面とで上から挿入した前記脚体を挟み込んで保持する脚体挟持手段が形成されており、該脚体挟持手段で前記パネルの幅方向の動きを規制しながら前記脚体の脱抜方向の動きに抗する、ことを特徴とする請求項３に記載したパーテーション。
【請求項５】
前記パネル同士が直線的に連結する部分の前記支持脚は、１つの前記パネル支持部の内側部分で２本の前記ピンが所定間隔の同じ高さで対向配置されて該１対の前記ピンの間に２本の前記脚体が互いに外側面を密着した状態で挿入されて挟持される、ことを特徴とする請求項４に記載したパーテーション。
【請求項６】
前記基台部は、前記パネル支持部の下方位置から少なくとも前記パネルの幅方向に延設された足板を有しており、平面視略長方形で長辺の長さがパネルの幅と同等の延べ板状とされた錘板を、パネル両端側の前記連結手段間を渡すようにその両端側を前記足板上面に載せて配置することで全体として低重心化を実現している、ことを特徴とする請求項３，４または５に記載したパーテーション。
【請求項７】
前記基台部は、平面視円形とされていることを特徴とする請求項３，４または５に記載したパーテーション。
【請求項８】
前記連結手段には、並んだ前記パネルの上端側角部同士を連結する連結金具が含まれる、ことを特徴とする請求項１，２，３，４，５，６または７に記載したパーテーション。
【発明の詳細な説明】
【技術分野】
【０００１】
本発明は、屋内空間を間仕切りするためのパーテーションに関し、殊に、組立・解体が容易で倒れにくい自立式のパーテーションに関する。
【背景技術】
【０００２】
屋内空間を簡易的に間仕切りする手段として、自立式のパーテーションが周知である。これは、所定の高さを有した平板状のパネルと、その下端側に連結されてパネルを垂直に支持する支持脚と、パネル同士を連結する連結手段からなり、壁面や床面に固定することなく複数枚のパネルを所望のレイアウトにて配置することができ、またそのレイアウトを変更することも可能である。
【０００３】
斯かるパーテーションは、レイアウトの変更が比較的高頻度で行われるオフィスや工場で使用される場合には、組立・解体の作業が容易に行えることが好ましいことから、例えば特許第４２９１８６９号公報に提案されているように、パネル同士の連結と分離の手順を容易化する連結手段を採用したものが知られている。
【０００４】
しかし、この特許文献に記載のパーテーションは、その連結手段がパネルの第１縦フレームに形成した凹条に、隣のパネルの第２縦フレームに形成した凸条を挿入してその上端側にフレームキャップを装着して連結させる方式であって、細かく複雑な構成を有していることから、連結における手間は充分に解消されないことに加え、製造コストが嵩みやすいという難点がある。
【０００５】
また、このパーテーションを含む従来の自立式パーテーションでは、パネルを垂直状態で支持する手段が床面に配置された支持脚であるところ、屈曲部を有していないか直線部分が大きいレイアウトにあっては、パネルの安定性（倒れにくさ）は支持脚の重量とパネルに直角な方向のサイズに比例している。そのため、パネルの安定性を重視した場合は支持脚の重量・サイズが大きくなってしまい、設置後に邪魔になって安全性を損ないやすいことに加え、可搬性も低下して組立・解体作業の容易性を損なうことに繋がる。
【先行技術文献】
【特許文献】
【０００６】
【特許文献１】特許第４２９１８６９号公報
【発明の概要】
【発明が解決しようとする課題】
【０００７】
本発明は、上記のような問題を解決しようとするものであり、自立式のパーテーションについて、組立・解体が容易でありながら安定性・安全性に優れたものとすることを課題とする。
【課題を解決するための手段】
【０００８】
そこで、本発明は、正面視方形で平板状のパネルと、隣り合うパネル同士を連結する連結手段とを備えた自立式のパーテーションにおいて、前記パネルの下端側には、幅方向所定範囲に亘り錘部材が付設または内蔵されて前記パネルと一体化されており、パネルの下端からその高さの２０分の１までの部分の重量が前記錘部材を含むパネル重量の２５％以上を占めることを特徴とするものとした。
【０００９】
このように、自立式のパーテーションにおいてパネル下端側に錘部材を設けてパネルの重心を顕著に下げたことにより、パネルを傾倒させる付勢力に抗して安定しやすくなるとともに、パネルを傾倒させたとしてもその低い重心位置により自力で元の垂直の状態に復帰しやすいものとなる。
【００１０】
また、このパーテーションにおいて、そのパネルには、下端面の両端側から角柱状の脚体が対で下向きに垂設されており、そのパネル同士が連結する箇所で側端側を互いに近接配置した複数のパネルの前記脚体同士が、前記連結手段に上から嵌入することで各々固定されて連結される、ことを特徴としたものとすれば、連続するパネル同士の下端側を容易に連結できるものとなる。
【００１１】
このパーテーションにおいて、その連結手段には、床面に密着配置する金属製で平板状の基台部と、この基台部上面側で板材が対向して立設されてその間にパネルの下端側角部を上から挿入することでパネルを挟み込んで支持するパネル支持部とからなる支持脚が含まれることを特徴としたものとすれば、組立て作業が容易なものとなり、この場合、そのパネル支持部の内側所定位置には、対向した板材の内面側を直角方向に渡すようにピンが介装されてこのピンとその周面に対向する所定の面とで上から挿入した前記脚体を挟み込んで保持する脚体挟持手段が形成されており、この脚体挟持手段でパネルの幅方向の動きを規制しながら脚体の脱抜方向の動きに抗することを特徴としたものとすれば、簡易な構成であってもパネルと支持脚との接続・分離作業が極めて容易になり、且つ、床面に密着した金属製の支持脚の基台部が全体の重心をさらに低くするため、一層安定性に優れたものとなる。
【００１２】
さらに、この脚体挟持手段を備えたものにおいて、そのパネル同士が直線的に連結する部分の支持脚は、１つのパネル支持部の内側部分で２本の前記ピンが所定間隔の同じ高さで対向配置されてこの１対のピンの間に２本の脚体が互いに外側面を密着した状態で挿入されて挟持される、ことを特徴としたものとすれば、支持脚のパネル支持部でパネルの連結手段も兼ねることになり、パネル連結作業の手間を増やすことなく一層堅固な連結状態を実現することができる。
【００１３】
さらにまた、上述した支持脚を備えたパーテーションにおいて、その基台部は、パネル支持部の下方位置から少なくともパネルの幅方向に延設された足板を有しており、平面視長方形で長辺の長さがパネルの幅と同等の延べ板状とされた錘板を、パネル両端側の前記連結手段間を渡すようにその両端側を前記足板上面に載せて配置することで全体として低重心化を実現している、ことを特徴としたものとすれば、パネル自体の重量をより軽く設定できるとともに、錘部材の配設作業が極めて容易なものとなる。
【００１４】
或いは、上述した支持脚を備えたパーテーションにおいて、その基台部は平面視円形とされていることを特徴としたものとすれば、角部がないことで床面に傷を付けにくいとともに、外縁側が引っ掛かりにくい点で使用者の安全を確保しやすいものとなる。
【００１５】
また加えて、上述したパーテーションにおいて、その連結手段には並んだパネルの上端側角部同士を連結する連結金具が含まれることを特徴としたものとすれば、パネルの下端側のみならず上端側でも連結・固定されることから、一層安定性に優れたものとなる。
【発明の効果】
【００１６】
パネルの下端側に錘部材を設けて重心を顕著に下げた本発明によると、簡易な構成で組立・解体が容易になるとともに安定性・安全性に優れたものとなる。
【図面の簡単な説明】
【００１７】
【図１】本発明における実施の形態であるパーテーションの正面図。
【図２】図１のパーテーションにおけるパネルの正面図。
【図３】図１のパーテーションにおける支持脚を中心としたパネル連結部分の詳細を示す拡大した部分正面図。
【図４】図３のＸ−Ｘ線に沿う断面図。
【図５】（Ａ）は図１のパーテーションにおける支持脚の平面図、（Ｂ）は図１のパーテーションにおいて端部側に用いられる支持脚の平面図。
【図６】（Ａ）は図１のパーテーションにおいて屈曲部に用いられる支持脚の平面図、（Ｂ）は図１のパーテーションにおいて直線的な連結部分に対しパネルを直角に接続する場合に用いられる支持脚の平面図。
【図７】パーテーションの自立可能な部分で基台部の小さな支持脚でパネルを連結した状態を示す正面図。
【図８】図７のパーテーションにおける支持脚を中心としたパネル連結部分の詳細を示す拡大した部分正面図。
【図９】図８のＹ−Ｙ線に沿う断面図。
【図１０】図７のパネルの応用例を示す正面図。
【図１１】図８の支持脚及び錘板の応用例を示す斜視図。
【図１２】（Ａ）は図１１による支持脚を配置した状態を示す平面図、（Ｂ）は（Ａ）の支持脚の間に錘板を配置した状態を示す平面図、（Ｃ）は（Ｂ）の正面図。
【図１３】（Ａ）は図１１の支持脚の平面図、（Ｂ）は端部側に用いられる支持脚の平面図、（Ｃ）は屈曲部に用いられる支持脚の平面図、（Ｄ）は直線的な連結部分に対しパネルを直角に接続する場合に用いられる支持脚の平面図。
【図１４】図１１の支持脚の変形例を示す斜視図。
【図１５】実験の状況を示す写真。
【発明を実施するための形態】
【００１８】
以下に、図面を参照しながら本発明を実施するための形態を説明する。
【００１９】
図１は、本発明における第１の実施の形態であるパーテーションの直線部分の正面図を示している。本実施の形態では、正面視方形で平板状のパネル２Ａ，２Ａ，２Ａ，・・と、床面に配置した状態で隣り合うパネル２Ａ，２Ａの連結部分下端側を連結する連結手段の１つとして機能しながら少なくとも一対のパネル２Ａを垂直に支持する金属製の支持脚３Ａ，３Ａ，３Ａ，・・と、隣り合うパネル２Ａ，２Ａの連結部分上端側を連結する連結手段としての連結金具５，５，５，・・と、で自立式のパーテーションを構成したものとなっている。
【００２０】
図２を参照して前述したパネル２Ａの構造を詳細に説明すると、本実施の形態で使用するパネル２Ａは、木材を平板状に形成してなる正面視縦長方形状で表面が平滑な平板部２０Ａの左右側端側に縦長の木質部材による柱状部２１，２２が設けられ、この柱状部２１，２２が平板部２０Ａ底面のラインから下方向に僅かに突出している部分で脚体２１ａ，２２ａを構成している。尚、平板部２０Ａのサイズは、例えばオフィス向けパーテーションの場合は幅１０００ｍｍ前後、高さ１０００〜１８００ｍｍ程度を想定しており、この場合の脚体２１ａ，２２ａの長さは、２０〜５０ｍｍ程度が好適である。
【００２１】
そして、その平板部２０Ａの下端側には、破線で示すようにその幅方向の大部分を占める範囲に亘って横向き角柱状の錘部材２５，２６が内蔵されており、パネル２Ａの下端（脚体２１ａ，２２ａ先端面）からパネル２Ａの高さの２０分の１までの部分の重量が、パネル２Ａ全体重量の２５％以上を占めており、この点が本発明の特徴部分となっている。これは、様々な条件にて錘部材をパネル下端側に設けて試験した結果、前記条件でパネルの安定性（耐傾倒性）と可搬性のバランスに優れていたからである。
【００２２】
例えば、平板部２０Ａを幅９２０ｍｍ、高さ１４７５ｍｍ、脚体２１ａ，２２ａの長さ２５ｍｍとし、錘部材２５，２６を除く木質部分の重量を８ｋｇとして、短辺が２０×２０ｍｍの角柱状鉄材を（２ｋｇ）横向きにして上下に２本重ねた錘部材２５，２６（合計４ｋｇ）を平板部２０Ａ下面から深さ４０ｍｍまで挿入した状態で内装した場合、脚体２１ａ，２２ａ先端面からのパネル２Ａの高さが１５００ｍｍで全重量は１２ｋｇとなるが、その２０分の１の高さである７５ｍｍまでの部分の重量が全体の２５％以上を占めることになる。この場合、パネル２Ａの重心位置はその下端から約５００ｍｍと顕著に低くなっていることから、これを傾倒させる方向の付勢力に抗して垂直状態を維持しやすくなり、極めて安定性・安全性に優れたものとなる。
【００２３】
図３は、図１のパーテーションにおいて支持脚３Ａによる連続したパネル２Ａ，２Ａの支持・連結部分の詳細を示している。支持脚３Ａは、床面に裏面を密着して配置する金属薄板製の基台部３０と、この基台部３０上面側で金属製の板材３１ａ，３１ｂ（図４参照）が対向して立設されその間にパネル２Ａ，２Ａの下端側角部を上から挿入することでこれを挟み込んで支持するパネル支持部３１とからなり、パネル２Ａ，２Ａを直線状に連結する部分に１個配置されて、これらを連結しながら支持するようになっている。
【００２４】
そのパネル支持部３１の内部両端側で下から約３分の１の高さ位置には、対向している板材３１ａ，３１ｂの内面側を直角方向に渡すように金属製で丸棒状のピン３１１，３１１が各々横向きに並んで介装されており、この１対のピン３１１，３１１で脚体挟持手段３１０を構成して、直線的に配置されるパネル２Ａ，２Ａの脚体２２ａ，２１ａを互いに外側面を密着した背中合わせの状態で挿入させることにより、これを挟持しながら保持するものとしている。
【００２５】
本実施の形態では、平板部２０Ａ，２０Ａの底面とこれと直角に交わる脚体２２ａ，２１ａの内側面とで各々形成される内角部に、ピン３１１，３１１が周面の一部を各々密着した状態となっており、脚体２２ａ，２１ａは底面を基台部３０上面に接しながら左右から強く挟み込まれた状態となる。そのため、パネル２Ａ，２Ａの幅方向の動きが規制されるとともに、脚体２２ａ，２１ａの脱抜方向の動きに抗して支持・連結状態を維持しながら、支持脚３Ａのパネル支持部３１がパネル２Ａ，２Ａの連結手段の一部を兼ねることで、連結作業の手間を増やすことなく堅固な連結状態を実現できるものとなる。
【００２６】
例えば、支持脚３Ａの重量を１．２ｋｇ、基台部３０の直径を２５０ｍｍ、ピン３１１の基台部３０上面からの高さを２５ｍｍとして、前述のパネル２Ａに接続・支持した場合、その重心位置はその下端から４００ｍｍとなって更に低いものとなる。そのため、基台部３０のパネル２Ａの厚さ方向の幅（２５０ｍｍ）による支持力と相俟って、所定レベルの傾倒角度までならばいったん傾倒させた場合でも、起きあがりこぼしと同様に垂直の状態に自ら復帰するという特徴も有しており、地震の揺れに対して優れた強さ（耐震性）を発揮するようになっている。
【００２７】
図４は、図３のＸ−Ｘ線に沿う断面図を示しているが、パネル２Ａの平板部２０Ａ下面から所定の深さ位置に、横向き角柱状で鉄製の錘部材２５，２６が上下に重ねられて内装された状態となっている。この錘部材２５，２６は、下からビス止め等の固定手段で平板部２０Ａ底面に形成した溝内に固定する方式とすればよく、これにより、組立て前の段階で平板部２０Ａとは別にすることで、パネル２Ａの可搬性が極めて良好なものとなる。また、これら２本の錘部材２５，２６が一体となった１本の錘部材を使用しても良いことは言うまでもない。
【００２８】
図５（Ａ）は、支持脚３Ａの平面図を示しているが、その基台部３０は平面視円形とされて角部を有していない。そのため、配置する床面に傷を付けにくいとともに、その外縁側が近くを移動する人や物に引っ掛かりにくく、安全性の点においても優れたものとなっている。また、この支持脚３Ａは、基台部３０によるパネル２Ａの幅方向に対する直角方向のサイズがその直径に相当するところ、この直径と一辺の長さが同一サイズの正方形の基台部を有した支持脚と同等のパネル支持力と安定性を発揮することができる。
【００２９】
図５（Ｂ）は、本実施の形態のパーテーションにおける端部側のパネル２Ａの末端側に使用する支持脚３Ｂを示している。平面視円形の基台部３０の上面には平面視コ字状に板材３２ａが立設され、その開口側を渡して１本のピン３１１が配置されて、パネル２Ａの末端部分となる下端側角部を挿入して支持するパネル支持部３２とされており、脚体２１ａまたは脚体２２ａのいずれかを挿入させて挟持する脚体挟持手段３２０を構成している。
【００３０】
図６（Ａ）は、本実施の形態のパーテーションにおける屈曲した連結部分でパネル２Ａ，２Ａを連結しながら支持する支持脚３Ｃを示している。この場合、前述と同じ構成の基台部３０の上面に立設するパネル支持部３３は、平面視直角に屈曲した板材３３ａ，３３ｂの組み合わせとされ、両開口部側にピン３１１が各々配置されて、パネル２Ａ，２Ａを直角方向に連結しながら支持するようになっている。尚、パネル支持部３３内側の直角に屈曲した部分で一点鎖線により区画された箇所に図示しない角柱状の介装部材を嵌入することにより、脚体挟持手段３３０が構成されてパネル２Ａ，２Ａがしっかりと固定されるようになる。
【００３１】
図６（Ｂ）は、本実施の形態のパーテーションにおけるＴ字状の連結部分でパネル２Ａ，２Ａ，２Ａを連結しながら支持する支持脚３Ｄを示している。この場合、前述と同じ構成の基台部３０の上面に立設するパネル支持部３４は、平面視直線状の板材３４ａと平面視直角に屈曲した板材３４ｂ，３４ｃの組み合わせによりＴ字状の内側部分を構成し、３つの開口部にピン３１１が各々配置されてパネル２Ａ，２Ａ，２ＡをＴ字状に連結しながら支持するようになっている。尚、パネル支持部３４内部の中央交差部分で一点鎖線により区画された箇所に、図示しない角柱状の介装部材を嵌入することで、脚体挟持手段３４０が形成されるのは前述と同様である。
【００３２】
ところで、パーテーションにおいて、屈曲部やパネル同士がＴ字状又は十字状に連結した部分では、これを構成するパネルは支持脚がなくても自立することができ、この部分に続く直線部分が短い場合には、直線部分のパネルも支持脚なしで自立するものとなる。
【００３３】
そこで、図７に示すように、自立可能なパネル２Ａ，２Ａの連結部分において、上述した支持脚３Ａの基台部３０を縮小した形状の支持脚４を用いながら、その下端側角部を連結しても良い。即ち、図８の拡大図及びそのＹ−Ｙ線に沿う断面図に示すように、支持脚４は金属板を屈曲してなり、円盤状の基台部３０の代わりにこれを縮小した基台部として床面に当接する部分となる底板４１ｃとし、その長辺端縁部分から続いて垂直板４１ａ，４１ｂが対向して立設され、支持脚３Ａと同様にピン４１１，４１１が各々横向きに並んで介装されており、これらで脚体挟持手段４１０を構成している。
【００３４】
この支持脚４を用いれば、自立可能なパネル２Ａの直線的な連結部分は上端側に用いる連結金具５と併用することでしっかりと連結できるようになる。尚、自立可能な屈曲部やＴ字状の連結部においては、図示は省略するが図６（Ａ），（Ｂ）に示した支持脚３Ｃ，３Ｄの基台部３０を前記同様に縮小した構成の連結金具を使用すれば良い。
【００３５】
図１０は、上述したパネル２Ａの応用例としてのパネル２Ｂを示している。この例では、鉄製の錘部材２５，２６を平板部２０Ａの底面から所定深さまで内装する代わりに、底面側に横向きにした角柱状の石材からなる錘部材２７を付設してなる平板部２０Ｂとした点を特徴としたものである。尚、この錘部材２７は、錘部材２５，２６と同等の重量を確保するためにパネル部分の厚さを超えた寸法にしても良く、石材の質感を有した錘部材２７がパネル２Ｂの下端側に露出してパネル厚さ方向に突出していることで、意匠的なアクセントを構成する。
【００３６】
図１１は、図８に示した支持脚４及び錘部材２５，２６の応用例である支持脚３Ｅ及びこれとの組み合わせで用いる錘板２８を示している。これらは、図８の場合と同様に屈曲部などパネル自体が自立性を有している部分やその付近において、支持脚の平板部の大きさが不要な箇所で簡易にパネルを連結するとともに、さらなる低重心化を実現しようとするものである。
【００３７】
この支持脚３Ｅは、その構成が支持脚４とほぼ共通したものであるが、その基台部３７の短径方向の幅がパネル支持部３５の短径方向の幅と同等であるものの、パネル支持部３５の下方位置からパネルの幅方向に延設した足板３７ａ，３７ｂを有している点で異なっている。一方、これに組み合わせて用いる錘板２８は、鉄等の比重の大きな素材が、平面視略長方形で長辺の長さがパネルの幅と略同等であるとともに短辺の長さがパネルの厚さと略同等とされた延べ板状の本体部２８ａと、その両端側に付設された支持脚３Ｅに連結するための平面視コ字状の金具による連結部２８ｂ，２８ｃからなる。
【００３８】
図１２を用いてこれらの使用方法を説明すると、先ず、図（Ａ）の平面図に示すようにパーテーションを設ける床面の想定線上で、複数の支持脚３Ｅをパネルの幅程度の間隔で大まかに配置する。次に、図（Ｂ）に示すように、各支持脚３Ｅのパネル支持部３５の短辺側に連結部２８ｂ，２８ｃの凹部を係合させながら両端側を各足板３７ａ，３７ｂの上に載せるように錘板２８を配置して位置決めと錘の設置を完了し、その後、図（Ｃ）の正面図に示すように一点鎖線で示す各パネルの下端側角部を各パネル支持部３５に上から嵌入して設置作業を完了する。
【００３９】
これにより、錘板２８が支持脚３Ｅを介してパネルの下端側に接続されることになってパネルのさらなる低重心化が実現するものである。また、基台部３７がパネルの厚さ方向の幅から大きく突出しないことで使用上邪魔になりにくいことに加え、これを配置するだけで支持脚３Ｅ，３Ｅの間隔をパネルの幅Ｌに一致するように位置決めする物差しとしても機能するため、パネルの設置作業を短時間で正確に完了させる効果がある。
【００４０】
図１３（Ａ）は支持脚３Ｅの平面図を示し、他の各図は図５，６に示したものと同様に支持脚３Ｅのバリエーションを示しており、図（Ｂ）は端部側に用いられる支持脚３Ｆ、図（Ｃ）は屈曲部に用いられる支持脚３Ｇ、（Ｄ）は直線的な連結部分に対しパネルを直角に接続する場合に用いられる支持脚３Ｈの平面図を示している。また、図（Ｃ），（Ｄ）の場合、パネル自体に自立性を与える屈曲部・結合部においては、簡易に連結を行えることに加え極めて簡易に低重心化を実現できる点で有用なものとなる。尚、図（Ｄ）の構成をさらにパネルを十字状に連結する平面視十字状の支持脚としても良い。
【００４１】
図１４は、図１１の支持脚３Ｅの変形例としての支持脚３Ｊを示している。この支持脚３Ｊでは、支持脚３Ｅにおいて脚体挟持手段を構成する一対のピン４１１，４１１の代わりに、一対のネジ孔３６ａ，３６ａがパネル支持部３６の上部中央位置に穿設されており、板材中央にネジ孔３９ａを有して上部側で一対の挟持板３９ｂ，３９ｃを直角方向に屈曲・突設してなる補助プレート３９を、密着した２本の脚体を挟持板３９ｂ，３９ｃの間に挟み込むように装着し、ボルト１００をネジ孔３９ａ，３６ａ，３６ａに挿通してナット２００に螺入することで固定することを特徴としている。
【００４２】
この例では、パネルの脚体側端面にボルト１００を通すための切り欠き部が形成されており、２本の脚体をパネル支持部３６に挿入した状態で補助プレート３９を固定することにより、２本の脚体が挟持板３９ｂ，３９ｃで左右から挟まれて正確に位置決めされることに加え、固定後にパネルのガタつきが生じにくいものとなる。また、図示は省略するが、パネル支持部３６に所定形状の切り欠きを形成するとともに脚体側にこれに係合する爪部を設けて連結時にこれらが係合する構成とすれば、補助プレート３９、ボルト１００を省略しても堅固な連結を実現するものとなる。尚、以上の特徴部分は、パネルの脚体を２本密着した状態で連結・支持する前述した支持脚の総てに適用することができる。
【実施例１】
【００４３】
図１に示したパーテーションを実際に作成して、その耐傾倒能（耐震性）について試験を行った。パネルは高さ１５００ｍｍ、幅９００ｍｍ、パネル本体重量８ｋｇ、錘重量４ｋｇ、パネル総重量１２ｋｇ、支持脚の重量は１．２ｋｇ、基台部の直径２５０ｍｍとし、パネル１枚に支持脚２個を使用して、パネル上部側を手で押しながら、倒れる直前の傾倒角度を計測した。
【００４４】
（結果）図１５の写真に示す状態まで倒れなかった。このときの傾倒角度は２０度であった。これに対し、錘を入れない状態で他の条件を同様にした対照例では１４度前後で倒れた。この実験結果から、本実施の形態のパーテーションは高い耐傾倒能を有して安定性に優れていることが分かった。
【００４５】
上述したように、本実施の形態のパーテーションは極めて簡易な構成で部品点数も少ないため、製造コストが低廉で済むという利点も有している。また、パネル２Ａ同士を連結・支持する部分の構造が極めてシンプルでその扱いも簡易であることから、組立・解体作業が極めて容易に行えるものとなる。これに加え、パネルの下端側に錘部材を設けたことで重心位置が顕著に下がって傾倒しにくいものとなり、極めて安定性に優れるとともに安全性の観点においても優れたものとなっている。
【００４６】
以上、述べたように、自立式のパーテーションについて、本発明により組立・解体が容易でありながら安定性・安全性に優れたものとすることができた。
【符号の説明】
【００４７】
２Ａ，２Ｂ  パネル、３Ａ，３Ｂ，３Ｃ，３Ｄ，３Ｅ，３Ｆ，３Ｇ，３Ｈ，３Ｊ，４  支持脚、５  連結金具、２０Ａ，２０Ｂ  平板部、２１，２２  柱状部、２１ａ，２２ａ  脚体、２５，２６，２７  錘部材、２８  錘板、２８ａ  本体部、２８ｂ，２８ｃ  係合部、３０，３７  基台部、３１，３２，３３，３４，３５，３６  パネル支持部、３１ａ，３１ｂ，３２ａ，３３ａ，３３ｂ，３４ａ，３４ｂ，３４ｃ  板材、３６ａ，３９ａ  ネジ孔、３７ａ，３７ｂ  足板、４１ａ，４１ｂ  垂直板、３９  補助プレート、３９ｂ，３９ｃ  挟持板、４１ｃ  底板、３１０，３２０，３３０，３４０，４１０  脚体挟持手段、３１１，４１１  ピン
【図１】
2014005717.tif 000003
【図２】
2014005717.tif 000004
【図３】
2014005717.tif 000005
【図４】
2014005717.tif 000006
【図５】
2014005717.tif 000007
【図６】
2014005717.tif 000008
【図７】
2014005717.tif 000009
【図８】
2014005717.tif 000010
【図９】
2014005717.tif 000011
【図１０】
2014005717.tif 000012
【図１１】
2014005717.tif 000013
【図１２】
2014005717.tif 000014
【図１３】
2014005717.tif 000015
【図１４】
2014005717.tif 000016
【図１５】
2014005717.tif 000017